(57)【要約】      （修正有）【課題】マスターデバイスを有する通信システムのオーディオレンダリング及び／又は取得デバイスを構成する方法を提供する。【解決手段】通信ネットワーク１１０において、オーディオレンダリング及び／又は取得デバイス１４０〜１５０は、マスターデバイス１２０（ＳＴＢ）の複数のオーディオチャネルのうちの少なくとも１つのオーディオチャネルを使用する。複数のオーディオチャネルのうちの少なくとも１つのオーディオチャネルの状態を取得し、当該状態に従って、複数のオーディオチャネルの中から少なくとも１つのオーディオチャネルを選択する。【選択図】図１
2017184229.tif 000002
【特許請求の範囲】
【請求項１】
マスターデバイスを有する通信システムのオーディオレンダリング及び／又は取得デバイスで実施される方法であって、前記マスターデバイスの複数のオーディオチャネルのうちの少なくとも１つのオーディオチャネルを使用するよう前記オーディオレンダリング及び／又は取得デバイスを構成することを有する前記方法において、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する方法。
【請求項２】
マスターデバイスを有する通信システムに属するオーディオレンダリング及び／又は取得デバイスであって、前記マスターデバイスの複数のオーディオチャネルのうちの少なくとも１つのオーディオチャネルを使用するよう構成されるように適応される前記オーディオレンダリング及び／又は取得デバイスにおいて、
当該オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有している、
オーディオレンダリング及び／又は取得デバイス。
【請求項３】
前記複数のオーディオチャネルは、無線オーディオチャネルである、
請求項２に記載のオーディオレンダリング及び／又は取得デバイス。
【請求項４】
当該オーディオレンダリング及び／又は取得デバイスは、オーディオレンダリングデバイスであり、
前記マスターデバイスは、前記複数のオーディオチャネルにおいて少なくとも１つのオーディオ信号を出力する、
請求項２又は３に記載のオーディオレンダリング及び／又は取得デバイス。
【請求項５】
当該オーディオレンダリング及び／又は取得デバイスは、オーディオ取得デバイスであり、
少なくとも１つのオーディオ信号は、前記複数のオーディオチャネルによって前記マスターデバイスへ入力される、
請求項２又は３に記載のオーディオレンダリング及び／又は取得デバイス。
【請求項６】
前記取得すること及び前記選択することは、当該オーディオレンダリング及び／又は取得デバイスと前記マスターデバイスとの間のペアリングの間に行われる、
請求項２乃至５のうちいずれか一項に記載のオーディオレンダリング及び／又は取得デバイス。
【請求項７】
前記使用される少なくとも１つのオーディオチャネルは、他のオーディオレンダリング及び／又は取得デバイスへ未だ割り当てられていない前記複数のオーディオチャネルの中から選択される、
請求項２乃至６のうちいずれか一項に記載のオーディオレンダリング及び／又は取得デバイス。
【請求項８】
全てのオーディオチャネルが少なくとももう１つのオーディオレンダリング及び／又は取得デバイスへ既に割り当てられている場合に、前記選択することは、前記既に割り当てられているオーディオチャネルの中で行われる、
請求項２乃至７のうちいずれか一項に記載のオーディオレンダリング及び／又は取得デバイス。
【請求項９】
当該オーディオレンダリング及び／又は取得デバイスは、可変な数のオーディオチャネルを使用するよう構成される、
請求項２乃至８のうちいずれか一項に記載のオーディオレンダリング及び／又は取得デバイス。
【請求項１０】
通信ネットワークによって連結されている少なくとも１つのマスターデバイスと少なくとも１つのオーディオレンダリング及び／又は取得デバイスとを有する通信システムであって、前記オーディオレンダリング及び／又は取得デバイスは、前記マスターデバイスの複数のオーディオチャネルのうちの少なくとも１つのオーディオチャネルを使用するよう構成されるように適応される、前記通信システムにおいて、
前記オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有する、
通信システム。
【請求項１１】
前記取得することは、状態の順序集合をもたらし、
前記選択することは、前記順序集合内の当該オーディオチャネルの状態の順序を考慮する、
請求項１０に記載の通信システム。
【請求項１２】
当該通信システムは、複数のオーディオレンダリング及び／又は取得デバイスを有し、
前記複数のオーディオレンダリング及び／又は取得デバイスのうちの少なくとも一部は、前記状態の順序集合の順序に従って順次に電源をオンされる、
請求項１１に記載の通信システム。
【請求項１３】
マスターデバイスを有する通信システムのオーディオレンダリング及び／又は取得デバイスを少なくとも部分的に構成する方法を実施するようコンピュータによって実行可能な命令のプログラムを有形に具現化する、前記コンピュータによって読出可能である非一時的なプログラム記憶デバイスであって、前記オーディオレンダリング及び／又は取得デバイスは、前記マスターデバイスの複数のオーディオチャネルのうちの少なくとも１つのオーディオチャネルを使用するよう構成され、前記方法は、前記オーディオレンダリング及び／又は取得デバイスにおいて実施される、前記非一時的なプログラム記憶デバイスにおいて、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
非一時的なプログラム記憶デバイス。
【請求項１４】
コンピュータによって実行される場合に、マスターデバイスを有する通信システムのオーディオレンダリング及び／又は取得デバイスにおいて実施されるよう方法を実施するプログラムコード命令を有し、前記方法は、前記マスターデバイスの複数のオーディオチャネルのうちの少なくとも１つのオーディオチャネルを使用するよう前記オーディオレンダリング及び／又は取得デバイスを構成することを有する、ソフトウェアプログラムであって、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
ソフトウェアプログラム。
【請求項１５】
コンピュータによって実行される場合に、マスターデバイスを有する通信システムのオーディオレンダリング及び／又は取得デバイスにおいて実施されるよう方法を実施するプログラムコード命令を有し、前記方法は、前記マスターデバイスの複数のオーディオチャネルのうちの少なくとも１つのオーディオチャネルを使用するよう前記オーディオレンダリング及び／又は取得デバイスを構成することを有する、ソフトウェアプログラムを担持するコンピュータ可読記憶媒体であって、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
コンピュータ可読記憶媒体。
【発明の詳細な説明】
【技術分野】
【０００１】
本開示は、少なくとも１つの無線オーディオレンダリング及び／又は取得デバイスを含む分散型システムにおけるオーディオ取得及び／又はレンダリングの分野に関係がある。
【０００２】
オーディオレンダリング及び／又は取得デバイスを構成する方法、並びに対応するオーディオレンダリング及び／又は取得デバイス、システム、コンピュータ可読プログラム製品、及びコンピュータ可読記憶媒体が記載される。
【背景技術】
【０００３】
無線通信エンドデバイス、例えば、セットトップボックス（ＳＴＢ；set-top-box）、スマートフォン、タブレット、パーソナルコンピュータ（ＰＣ；personal  computers）、又はプリンタ、スピーカ（若しくはオーディオレンダラ）、マイクロホンのような周辺機器は、今日、広く使用されるようになっている。それらは、Ｗｉ−Ｆｉ（登録商標）又はＢｌｕｅｔｏｏｔｈ（登録商標）インターフェイスのような無線通信インターフェイスのおかげで、無線ネットワーク、例えば、無線ローカルエリアネットワーク（ＷＬＡＮ；wireless  local  area  network）内の他の無線通信デバイスとデータを交換することができる。ますますＬＡＮサービス、特にＷＬＡＮサービスは、ホーム環境において配備され、日々の生活の中で使用されている。ネットワークにおける無線デバイスの使用は、ユーザがデバイスを布線すること又は物理的に相互接続することの必要性を回避する。しかし、機器構成は依然として必要とでありうる。特に、複数の無線デバイスを有するシステム（例えば、ホームネットワークの無線オーディオ及び／又はビデオシステム）は、複数の構成を有し得る。例えば、オーディオ伝送の分野において、無線テクノロジは、マルチメディアデバイスから複数の無線レンダラへの複数のオーディオチャネルのハイエンドのデジタル伝送を可能にする。しかし、デバイスの複数の構成は、システムにおいて存在するデバイスの数及び種類、それらの空間的位置、などに応じて、可能である。
【０００４】
よって、ユーザが、選択されている構成を簡単に定義することができる必要がある。最新のいくつかの解決法は、ユーザに、その無線デバイスの構成の自動セットアップを提供しようと試みている。例えば、国際公開第２００６／１３１８９４（Ａ２）号（特許文献１）は、オーディオデバイスをそれらの位置に従って構成することを提案している。
【先行技術文献】
【特許文献】
【０００５】
【特許文献１】国際公開第２００６／１３１８９４（Ａ２）号
【発明の概要】
【０００６】
本原理は、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を提案することによって、前述の欠点のうちの少なくとも１つが解決されることを可能にする。
【０００７】
本開示の実施形態に従って、本開示は、マスターデバイスを有する通信システムのオーディオレンダリング及び／又は取得デバイスで実施される方法であって、前記マスターデバイスの複数のオーディオチャネルのうちの少なくとも１つのオーディオチャネルを使用するよう前記オーディオレンダリング及び／又は取得デバイスを構成することを有する前記方法に関係する。
【０００８】
本開示の実施形態に従って、当該方法は、
前記複数のオーディオチャネルの夫々の選択状態を取得することであり、該選択状態は、少なくとももう１つのオーディオレンダリング及び／又は取得デバイスによる当該オーディオチャネルの既存の選択を表す、前記取得することと、
前記オーディオレンダリング及び／又は取得デバイスによって使用される少なくとも１つのオーディオチャネルをその選択状態に従って選択することと
を有する。
【０００９】
本開示の実施形態に従って、当該方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する。
【００１０】
本開示の実施形態に従って、前記オーディオレンダリング及び／又は取得デバイスは、オーディオレンダリングデバイスであり、前記マスターデバイスは、前記複数のオーディオチャネルにおいて少なくとも１つのオーディオ信号を出力する。
【００１１】
本開示の実施形態に従って、前記オーディオレンダリング及び／又は取得デバイスは、オーディオ取得デバイスであり、少なくとも１つのオーディオ信号は、前記複数のオーディオチャネルによって前記マスターデバイスへ入力される。
【００１２】
本開示の実施形態に従って、前記取得すること及び前記選択することは、前記オーディオレンダリング及び／又は取得デバイスと前記マスターデバイスとの間のペアリングの間に行われる。
【００１３】
本開示の実施形態に従って、前記使用される少なくとも１つのオーディオチャネルは、他のオーディオレンダリング及び／又は取得デバイスへ未だ割り当てられていない前記複数のオーディオチャネルの中から選択される。
【００１４】
本開示の実施形態に従って、全てのオーディオチャネルが少なくとももう１つのオーディオレンダリング及び／又は取得デバイスへ既に割り当てられている場合に、前記選択することは、前記既に割り当てられているオーディオチャネルの中で行われる。
【００１５】
本開示の実施形態に従って、前記オーディオレンダリング及び／又は取得デバイスは、可変な数のオーディオチャネルを使用するよう構成される。
【００１６】
本開示の実施形態に従って、前記取得することは、状態の順序集合をもたらし、前記選択することは、前記順序集合内の当該オーディオチャネルの状態の順序を考慮する。
【００１７】
本開示の実施形態に従って、前記通信システムは、複数のオーディオレンダリング及び／又は取得デバイスを有し、該複数のオーディオレンダリング及び／又は取得デバイスのうちの少なくとも一部は、前記状態の順序集合の順序に従って順次に電源をオンされる。
【００１８】
他の態様に従って、本開示は、マスターデバイスを有する通信システムに属するオーディオレンダリング及び／又は取得デバイスであって、前記マスターデバイスの複数のオーディオチャネルのうちの少なくとも１つのオーディオチャネルを使用するよう構成される前記オーディオレンダリング及び／又は取得デバイスに関係がある。
【００１９】
本開示の実施形態に従って、当該オーディオレンダリング及び／又は取得デバイスは、
前記複数のオーディオチャネルの夫々の選択状態を取得し、該選択状態は、少なくとももう１つのオーディオレンダリング及び／又は取得デバイスによる当該オーディオチャネルの既存の選択を表し、
当該オーディオレンダリング及び／又は取得デバイスによって使用される少なくとも１つのオーディオチャネルをその選択状態に従って選択する
よう構成される少なくとも１つのプロセッサを有する。
【００２０】
本開示の実施形態に従って、当該オーディオレンダリング及び／又は取得デバイスは、
ローパスフィルタを有するサブウーファー、
ハイパスフィルタモードにおいて及び／又はバスブースターモードにおいて構成可能なサテライトスピーカ、
マイクロホン
を含むグループに属する。
【００２１】
本開示の実施形態に従って、当該オーディオレンダリング及び／又は取得デバイスは、ペアリングボタンを更に有し、該ペアリングボタンは、可変な数のオーディオチャネルを使用するように当該オーディオレンダリング及び／又は取得デバイスを構成するよう適応される。
【００２２】
明示的には記載されていないが、本開示のオーディオレンダリング及び／又は取得デバイスは、本開示の方法をその実施形態のいずれにおいても実施するよう適応され得る。
【００２３】
本開示は、マスターデバイスを有する通信システムに属するオーディオレンダリング及び／又は取得デバイスであって、前記マスターデバイスの複数のオーディオチャネルのうちの少なくとも１つのオーディオチャネルを使用するよう構成されるように適応される前記オーディオレンダリング及び／又は取得デバイスに特に関係がある。
【００２４】
本開示の実施形態に従って、当該オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有している。
【００２５】
本開示の実施形態に従って、前記複数のオーディオチャネルは、無線オーディオチャネルである。
【００２６】
本開示の実施形態に従って、当該オーディオレンダリング及び／又は取得デバイスは、オーディオレンダリングデバイスであり、前記マスターデバイスは、前記複数のオーディオチャネルにおいて少なくとも１つのオーディオ信号を出力する。
【００２７】
本開示の実施形態に従って、当該オーディオレンダリング及び／又は取得デバイスは、オーディオ取得デバイスであり、少なくとも１つのオーディオ信号は、前記複数のオーディオチャネルによって前記マスターデバイスへ入力される。
【００２８】
本開示の実施形態に従って、前記取得すること及び前記選択することは、当該オーディオレンダリング及び／又は取得デバイスと前記マスターデバイスとの間のペアリングの間に行われる。
【００２９】
本開示の実施形態に従って、前記使用される少なくとも１つのオーディオチャネルは、他のオーディオレンダリング及び／又は取得デバイスへ未だ割り当てられていない前記複数のオーディオチャネルの中から選択される。
【００３０】
本開示の実施形態に従って、全てのオーディオチャネルが少なくとももう１つのオーディオレンダリング及び／又は取得デバイスへ既に割り当てられている場合に、前記選択することは、前記既に割り当てられているオーディオチャネルの中で行われる。
【００３１】
本開示の実施形態に従って、当該オーディオレンダリング及び／又は取得デバイスは、可変な数のオーディオチャネルを使用するよう構成される。
【００３２】
他の態様に従って、本開示は、マスターデバイスを有する通信システムに属するオーディオレンダリング及び／又は取得デバイスであって、前記マスターデバイスの複数のオーディオチャネルのうちの少なくとも１つのオーディオチャネルを使用するよう構成される前記オーディオレンダリング及び／又は取得デバイスに関係がある。
【００３３】
本開示の実施形態に従って、当該オーディオレンダリング及び／又は取得デバイスは、少なくとも１つのメモリ及び少なくとも１つのプロセッシング回路を有し、該少なくとも１つのプロセッシング回路は、
前記複数のオーディオチャネルの夫々の選択状態を取得し、該選択状態は、少なくとももう１つのオーディオレンダリング及び／又は取得デバイスによる当該オーディオチャネルの既存の選択を表し、
当該オーディオレンダリング及び／又は取得デバイスによって使用される少なくとも１つのオーディオチャネルをその選択状態に従って選択する
よう構成される。
【００３４】
明示的には記載されていないが、本開示のオーディオレンダリング及び／又は取得デバイスは、本開示の方法をその実施形態のいずれにおいても実施するよう適応され得る。
【００３５】
他の態様に従って、本開示は、通信ネットワークによって連結されている少なくとも１つのマスターデバイスと少なくとも１つのオーディオレンダリング及び／又は取得デバイスとを有する通信システムであって、前記オーディオレンダリング及び／又は取得デバイスは、前記マスターデバイスの複数のオーディオチャネルのうちの少なくとも１つのオーディオチャネルを使用するよう構成される、前記通信システムに関係がある。
【００３６】
本開示の実施形態に従って、前記オーディオレンダリング及び／又は取得デバイスは、
前記複数のオーディオチャネルの夫々の選択状態を取得し、該選択状態は、少なくとももう１つのオーディオレンダリング及び／又は取得デバイスによる当該オーディオチャネルの既存の選択を表し、
当該オーディオレンダリング及び／又は取得デバイスによって使用される少なくとも１つのオーディオチャネルをその選択状態に従って選択する
よう構成される少なくとも１つのプロセッサを有する。
【００３７】
本開示は、通信ネットワークによって連結されている少なくとも１つのマスターデバイスと少なくとも１つのオーディオレンダリング及び／又は取得デバイスとを有する通信システムであって、前記オーディオレンダリング及び／又は取得デバイスは、前記マスターデバイスの複数のオーディオチャネルのうちの少なくとも１つのオーディオチャネルを使用するよう構成されるように適応される、前記通信システムにも関係がある。
【００３８】
本開示の実施形態に従って、前記オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有する。
【００３９】
本開示の実施形態に従って、前記取得することは、状態の順序集合をもたらし、前記選択することは、前記順序集合内の当該オーディオチャネルの状態の順序を考慮する。
【００４０】
本開示の実施形態に従って、当該通信システムは、複数のオーディオレンダリング及び／又は取得デバイスを有し、前記複数のオーディオレンダリング及び／又は取得デバイスのうちの少なくとも一部は、前記状態の順序集合の順序に従って順次に電源をオンされる。
【００４１】
明示的には記載されていないが、本開示の方法に、あるいは、対応するオーディオレンダリング及び／又は取得デバイス、又はシステムに関する本実施形態は、あらゆる組み合わせ又は部分的組み合わせにおいて用いられ得る。例えば、本開示の方法のいくつかの実施形態に従って、前記オーディオレンダリング及び／又は取得デバイスは、オーディオレンダリングデバイスであり、前記マスターデバイスは、前記複数のオーディオチャネルにおいて少なくとも１つのオーディオ信号を出力し、前記取得すること及び前記選択することは、前記オーディオレンダリング及び／又は取得デバイスと前記マスターデバイスとの間のペアリングの間に行われ、前記取得することは、選択状態の順序集合をもたらし、前記選択することは、前記順序集合内の当該オーディオチャネルの選択状態の順序を考慮する。
【００４２】
他の態様に従って、本開示は、コンピュータによって読出可能な、非一時的なプログラム記憶デバイスに関係がある。
【００４３】
本開示の実施形態に従って、当該非一時的なコンピュータ可読プログラム記憶デバイスは、本開示の方法をその実施形態のいずれにおいても実施するようコンピュータによって実行可能な命令のプログラムを有形に具現化する。
【００４４】
特に、本開示は、マスターデバイスを有する通信システムのオーディオレンダリング及び／又は取得デバイスを部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するようコンピュータによって実行可能な命令のプログラムを有形に具現化する非一時的なコンピュータ可読プログラム記憶デバイスに関係がある。
【００４５】
本開示の実施形態に従って、前記方法は、
前記複数のオーディオチャネルの夫々の選択状態を取得することであり、該選択状態は、少なくとももう１つのオーディオレンダリング及び／又は取得デバイスによる当該オーディオチャネルの既存の選択を表す、前記取得することと、
前記オーディオレンダリング及び／又は取得デバイスによって使用される少なくとも１つのオーディオチャネルをその選択状態に従って選択することと
を有する。
【００４６】
本開示は、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するようコンピュータによって実行可能な命令のプログラムを有形に具現化する非一時的なコンピュータ可読プログラム記憶デバイスであって、前記方法が、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、非一時的なコンピュータ可読プログラム記憶デバイスにも関係がある。
【００４７】
他の態様に従って、本開示は、非一時的なコンピュータ可読プログラム製品に関係がある。
【００４８】
本開示の実施形態に従って、当該非一時的なコンピュータ可読プログラム製品は、本開示の方法をその実施形態のいずれにおいても実施するようコンピュータによって実行可能な命令のプログラムを有形に具現化する。
【００４９】
特に、いくつかの実施形態において、当該非一時的なコンピュータ可読プログラム製品は、コンピュータによって実行される場合に、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するためのプログラムコード命令を有する。前記方法は、
前記複数のオーディオチャネルの夫々の選択状態を取得することであり、該選択状態は、少なくとももう１つのオーディオレンダリング及び／又は取得デバイスによる当該オーディオチャネルの既存の選択を表す、前記取得することと、
前記オーディオレンダリング及び／又は取得デバイスによって使用される少なくとも１つのオーディオチャネルをその選択状態に従って選択することと
を有する。
【００５０】
また、いくつかの実施形態において、当該非一時的なコンピュータ可読プログラム製品は、コンピュータによって実行される場合に、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するためのプログラムコード命令を有する。前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する。
【００５１】
他の態様に従って、本開示は、ソフトウェアプログラムを担持するコンピュータ可読記憶媒体に関係がある。
【００５２】
本開示の実施形態に従って、前記ソフトウェアプログラムは、コンピュータによって実行される場合に、本開示の方法をその実施形態のいずれにおいても実施するプログラムコード命令を有する。
【００５３】
本開示の実施形態に従って、前記ソフトウェアプログラムは、コンピュータによって実行される場合に、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するためのプログラムコード命令を有する。前記方法は、
前記複数のオーディオチャネルの夫々の選択状態を取得することであり、該選択状態は、少なくとももう１つのオーディオレンダリング及び／又は取得デバイスによる当該オーディオチャネルの既存の選択を表す、前記取得することと、
前記オーディオレンダリング及び／又は取得デバイスによって使用される少なくとも１つのオーディオチャネルをその選択状態に従って選択することと
を有する。
【００５４】
本開示の実施形態に従って、前記ソフトウェアプログラムは、コンピュータによって実行される場合に、マスターデバイスを有する通信システムのオーディオレンダリング及び／又は取得デバイスを少なくとも部分的に構成する方法であって、前記オーディオレンダリング及び／又は取得デバイスは、前記マスターデバイスの複数のオーディオチャネルのうちの少なくとも１つのオーディオチャネルを使用するよう構成される、前記オーディオレンダリング及び／又は取得デバイスで実施される前記方法を実施するためのプログラムコード命令を有する。前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する。
【図面の簡単な説明】
【００５５】
添付の図面を参照して以下の説明を読むことで、本開示は、より良く理解され、他の具体的な特徴及び利点は、明らかになるだろう。
【図１】本開示の特定の実施形態に従う無線通信システムの一例を示す。
【図２Ａ】２つのオーディオスピーカのみが存在し、有効にされ、サブウーファーは存在し、有効にされるところの図１の無線通信システムの特定の構成を表す。
【図２Ｂ】２つのオーディオスピーカのみが存在し、有効にされ、サブウーファーはなく、使用不可能であるところの図１の無線通信システムの他の構成を表す。
【図２Ｃ】２つのオーディオスピーカのみが存在し、有効にされ、システムはステレオＴＶ受像機を含み、サブウーファーは存在し、有効にされるところの図１の無線通信システムの更なる他の構成を表す。
【図２Ｄ】４つのオーディオスピーカが存在し、有効にされ、サブウーファーはなく、使用不可能であるところの図１の無線通信システムの更なる他の構成を表す。
【図３】図１の無線通信システムのオーディオレンダラの構造を表す。
【図４Ａ】モノチャネルオーディオ構成モードで動作する図１の無線通信システムのオーディオレンダラの１つで実施される本開示の方法を表す。
【図４Ｂ】ダブルチャネル（又はステレオ）オーディオ構成モードで動作する図１の無線通信システムのオーディオレンダラの１つで実施される本開示の方法を表す。
【図５】図１の無線通信システムのマスターデバイスの構造を表す。  図面は、例示の目的しか有さず、本開示の実施形態は、説明されている実施形態に制限されない点が、留意されるべきである。
【発明を実施するための形態】
【００５６】
本開示の少なくとも１つの実施形態は、ルーティングデバイスとして動作し且つ通信ネットワーク（例えば、ローカルエリアネットワーク）に属するマスターデバイス（例えば、ＳＴＢ、ＴＶ、タブレット、スマートフォン、又はＰＣ）を含む無線システムの少なくとも１つの無線オーディオレンダリング及び／又は取得デバイス（例えば、オーディオレンダラ又はマイクロホン）の構成を設定する新規の方法を提供することができる。
【００５７】
実際に、本開示の少なくともいくつかの実施形態は、デバイスの複雑性及び／又は費用を減らしながら、オーディオレンダリング及び／又は取得デバイス（以降、「スレーブデバイス」と呼ばれる。）の少なくとも部分的に自動のセットアップを有することを可能にすることができる。これは、マスターデバイスのオーディオチャネルとのスピーカ又はマイクロホンの少なくとも部分的に自動のペアリングのおかげで実現され得る。
【００５８】
より厳密に言えば、スレーブデバイスは、特定の順序で、電源をオンされ、マスターデバイスとペアにされる。スレーブデバイスは、マスターデバイスのオーディオ機能及び利用可能なオーディオチャネル（すなわち、レンダラについては、送信され得る、マスターデバイスへ入力されるオーディオチャネル、又はマイクロホンについては、マスターデバイスによって受信され得るオーディオチャネル）を発見することができる。発見された情報から、スレーブデバイスは、それが使用することになるチャネル（すなわち、スレーブレンダラが消費することになるチャネル、又はスレーブマイクロホンが生成することになるチャネル）を自動的に選択することができる。
【００５９】
本開示の少なくとも１つの実施形態は、このようにして、スピーカ若しくはマイクロホンにおける専用のユーザスイッチの必要性、又はスレーブのファームウェアにおける複雑な方法の実装を抑制、又は少なくとも部分的に回避することを可能にすることができる。
【００６０】
本開示の少なくともいくつかの実施形態は、可変な数のデバイスを有する無線システムの構成に適応され得る。
【００６１】
更には、少なくともいくつかの実施形態において、スピーカの単一ファームウェアが開発され得る。それは、オーディオレンダラの異なる構成（よって、異なるオーディオレンダリングを再生すること）のために使用され、且つ、種々の種類のレンダラデバイスにおいて（例えば、サテライトスピーカにおいて又はサブウーファーにおいて）組み込まれ得る。
【００６２】
特定の実施形態は、オーディオレンダリングデバイスとのリンクにおいて以降記載される。しかし、本開示の他の実施形態は、オーディオ取得デバイスに、あるいは、少なくとも１つのオーディオレンダリングデバイス及び少なくとも１つのオーディオ取得デバイスの組み合わせに関係することができる。
【００６３】
図１に表されている詳細な実施形態において、無線オーディオ及び／又はビデオシステム１００が記載される。
【００６４】
システム１００は、通信ネットワーク１１０に属する。システム１００は、特に、マスターデバイス１２０を含む。マスターデバイス１２０は、システム１００のマスターとして動作し、少なくとも１つのオーディオ信号を出力するよう構成される。実施形態に応じて、マスターデバイスは、セットトップボックス、タブレット、ＰＣ、スマートフォン、ブルーレイ・プレイヤー、ＴＶ、又はオーディオチャネルを出力することができるあらゆる種類の無線デバイスであることができる。表されている実施形態では、このマスターデバイスは、セットトップボックス（ＳＴＢ）１２０である。ＳＴＢ１２０は、オーディオビジュアル信号を（例えば、インターネット・ネットワークのような、他の通信ネットワークから）受信することができ、且つ、オーディオビジュアル信号のビデオコンポーネント（例えば、ディスプレイ１３０によってレンダリングされることになる。）及びオーディオビジュアル信号のオーディオコンポーネント（例えば、システム１００の少なくとも１つのオーディオレンダラ１４０、１４２、１４４、１４６、１５０によってレンダリングされることになる。）を出力することができる。図１の特定の実施形態において、ＳＴＢ１２０は、周辺機器１２２、例えば、ＳＴＢのＵＳＢポートの１つへ接続されているドングル（dongle）（例えば、テキサス・インスツルメントによって開発された製品ＴＩ  ＣＣ８５ｘｘ）を備えている。ドングル１２２は、オーディオチャネルを出力するよう構成された無線送信手段を有する。ドングル１２２は、任意に、他の無線受信手段を有することができる。
【００６５】
システム１００は、オーディオレンダラ１４０、１４２、１４４、１４６、１５０を更に含む。オーディオレンダラは、サテライトレンダラ１４０、１４２、１４４、１４６（ハイパスフィルタモードにおいて又はバスブースターモードにおいて動作する。）又はローパスフィルタを備えたサブウーファー１５０のいずれかであることができる。システムのオーディオレンダラ１４０、１４２、１４４、１４６、１５０のうちの少なくとも１つは、本開示の方法を実装する。図１の表されている実施形態では、システムのあらゆるレンダラが、本開示の方法を実装する。しかし、他の実施形態では、本開示の方法は、本開示の方法を実装しないか又は本開示の方法の別の実施形態を実装する他のオーディオレンダラを更に有するシステムの部分であるオーディオレンダラにおいて実装され得る。
【００６６】
表されている実施形態では、全てのデバイスは無線デバイスである。当然、システムは、有線デバイス、又は無線デバイス及び有線デバイスの組み合わせを更に有することができる。例えば、ディスプレイ又はサブウーファーは、有線接続によってＳＴＢへ接続され得る。特に、サブウーファーは、ＪＡＣＫ接続によってＳＴＢへ接続され得る。そのような実施形態では、有線サブウーファーによって使用される２つのオーディオチャネルは、ユーザによって手動で割り当てられ得る。
【００６７】
この表されている実施形態では、レンダラデバイス１４０、１４２、１４４、１４６、１５０とマスターデバイス１２０との間でデータを交換するために使用されるプロトコルは、デバイス間のペアリングを要求又は提供するプロトコル、例えば、テキサス・インスツルメントによって開発された製品（又はドングル）ＴＩ  ＣＣ８５ｘｘによって使用されるプロトコルである。
【００６８】
他の実施形態では、スピーカ及びマスターデバイスの専用ボタンは、スピーカを構成するために、デバイス間の情報の項目の交換を強いるために使用され得る。
【００６９】
実施形態に応じて、レンダラは、種々の音響特性を有することができる。簡略化を目的として、図１の表されている実施形態では、全てのレンダラは同じ音響特性及び同じファームウェアを有している。当然、他の実施形態では、システムは、異なるファームウェアを備えたレンダラの異種セットを有することができる。
【００７０】
システム１００において、夫々のオーディオレンダラは、システムの地理的構成に応じて、特定の役割を果たすべきである。実際に、分散された音響をユーザに提供するために、サテライトスピーカは“フロントレフト”スピーカ、“フロントライト”スピーカ、“リアレフト”スピーカ、“リアライト”スピーカであることができる。システムにおいて所与の時点で存在するオーディオレンダラも変化し得る。例えば、レンダラはオン又はオフのいずれかであることができる。オーディオレンダラはまた、ユーザによってシステムに対して追加又は削除され得る。
【００７１】
図２Ａ乃至２Ｄは、システム１００の異なる無線オーディオ構成“ｎ．ｍ”を表す（すなわち、システム１００は、ｎ、ｍが零以上の整数であるとして、ｎ個のサテライトスピーカ及びｍ個のサブウーファーを有する。）。
【００７２】
図２Ａによって表されている例では、構成はタイプ“２．１”である。システム１００は、ＳＴＢ１２０と、２つのモノチャネルオーディオスピーカ１４０、１４２（ハイパスフィルタを備えたフロントレフトスピーカ及びハイパスフィルタを備えたフロントライトスピーカ）と、フロントレフト及びフロントライトオーディオ出力を有する、ローパスフィルタを備えたサブウーファー１５０とを有する。無線サブウーファーが存在し、有効にされる。
【００７３】
図２Ｂによって表されている例では、構成はタイプ“２．０”である。システム１００は、サブウーファーが存在しないか又は使用不可能であることを除いて、図２Ａの例で見られたのと同じデバイスを有する。
【００７４】
図２Ｃによって表されている例では、構成はタイプ“４．１”であることができる。システム１００は、ディスプレイ（ここではＴＶ受像機）１３０のためのステレオチャネル（ハイパスフィルタを備えたリアレフト及びリアライト）と、ＳＴＢ１２０と、２つのモノチャネルオーディオスピーカ１４０、１４２（ハイパスフィルタを備えたフロントレフトスピーカ及びハイパスフィルタを備えたフロントライトスピーカ）と、フロントレフト及びフロントライトオーディオ出力を有する、ローパスフィルタを備えたサブウーファー１５０とを有する。無線サブウーファーが存在し、有効にされる。
【００７５】
他の例では、表されていないが、システムは、サブウーファーが存在しないか又は使用不可能であることを除いて、図２Ｃの例で見られたのと同じデバイスを有する。
【００７６】
図２Ｄによって表されている例では、構成はタイプ“４．０”であることができる。システム１００は、ＳＴＢ１２０と、４つのモノチャネルオーディオスピーカ１４０、１４２、１４４、１４６（ハイパスフィルタを備えたフロントレフトスピーカ、ハイパスフィルタを備えたフロントライトスピーカ、ハイパスフィルタを備えたリアレフトスピーカ、及びハイパスフィルタを備えたリアライトスピーカ）とを有する。無線サブウーファーは存在しない。
【００７７】
実施形態に応じて、オーディオレンダラによって消費されるオーディオチャネルの数は変化しうる。例えば、第１のオーディオ消費モード（“モノ”）では、サテライトスピーカは、ただ１つのオーディオチャネルを消費することができる。第２のオーディオ消費モード（“ステレオ”）では、サテライトスピーカは、２つのオーディオチャネルを消費することができる。
【００７８】
詳細な実施形態では、サテライトスピーカは、２種類のオーディオ消費モード（モノ及びステレオ）を有することができ、且つ、ユーザによって消費モードのうちの１つにおいて動作するよう構成され得る。例えば、オーディオレンダラの“ペアリングボタン”は、ペアリングボタンに印加される圧力の持続時間に従って、オーディオ消費モードを選択することを可能にすることができる。短時間（４、５又は６秒といった時間閾値未満の時間）の圧力の後、スピーカは、ただ１つのオーディオチャネルを消費することができる。長時間（閾値よりも長い時間）の圧力の後、スピーカは、２つのオーディオチャネルを消費することができる。そのような場合に、チャネルが０から３まで番号を付けられているならば、消費されるチャネルは、完全なステレオを有するために、チャネル０及び１、又はチャネル２及び３であることができる。いくつかの実施形態において、ある値の対（例えば、チャネル１及びチャネル２によって構成される対）は、簡単のために及び／又は音響上の問題のために、オーディオレンダラについて禁止され得る。
【００７９】
サブウーファーは、１つ又は２つのオーディオチャネルを消費することができる。しかし、詳細な実施形態で見られるように、サブウーファーは、以降で詳述されるように、２つのオーディオチャネルを消費するよう強いられ得る。変形例において、サブウーファーは、モノオーディオ消費モードにおいて使用され得る。
【００８０】
図３は、本開示の方法４００を実装するよう構成される無線オーディオレンダラの構造を記載する。それは、例えば、サテライトスピーカ１４０、１４２、１４４、１４６又はサブウーファー１５０のような、図１によって表されたオーディオレンダラであることができる。
【００８１】
図３の特定の実施形態において、オーディオレンダラは、データ及びアドレスバス３００を介して連結されている異なるデバイスを含むことができる。データ及びアドレスバス３００はタイマー信号も運ぶことができる。例えば、それは、マイクロプロセッサ３１（又はＣＰＵ）、少なくとも１つの入出力モジュール３４（例えば、触覚ディスプレイ、スイッチ、ＬＥＤ、ボタン（例えば、ペアリングボタン）、など）、ＲＯＭ（Read  Only  Memory）２５、ＲＡＭ（Random  Access  Memory）３６、無線接続を介したデータの受信及び／又は送信のために構成される通信インターフェイス３７１、３７２、有線通信インターフェイス３８（任意）、電源３９を含むことができる。
【００８２】
表されている実施形態では、オーディオレンダラ１４０、１４２、１４４、１４６、１５０は、無線インターフェイスのおかげで、マスターデバイス（図１によって表されているようにディスプレイ１３０へリンクされている。）と通信することができる。オーディオレンダラは、特に、マスターデバイスの複数のオーディオチャネルのうちの少なくとも１つのオーディオチャネルを使用するよう構成される。
【００８３】
前述のメモリの夫々は、少なくとも１つのレジスタ、すなわち、低容量（数バイナリのデータ）又は高容量（プログラム全体又は計算若しくは表示されるデータを表すデータの全て若しくは部分の記憶の容量を有する。）のメモリ区間を含むことができる。
【００８４】
オーディオレンダラが電源をオンされる場合に、マイクロプロセッサ３１は、ＲＡＭ３６のレジスタ内のプログラム命令３６０、特に、本願で記載される構成方法の少なくとも１つの実施形態を実施するのに必要とされるプロセス、をロードし、プログラム命令を実行する。
【００８５】
変形例に従って、オーディオレンダラは複数のマイクロプロセッサを含む。他の変形例に従って、電源３９はオーディオレンダラの外にある。
【００８６】
図３に表されている特定の実施形態では、マイクロプロセッサ３１は、
複数のオーディオチャネルの夫々の選択状態を取得し、該選択状態は、少なくとももう１つのオーディオレンダリング及び／又は取得デバイスによる対応オーディオチャネルの既存の選択を表し、
当該オーディオレンダリング及び／又は取得デバイスによって使用される少なくとも１つのオーディオチャネルをその選択状態に従って選択する
よう構成され得る。
【００８７】
いくつかの実施形態において、マイクロプロセッサ３１は、
複数のオーディオチャネルのうちの少なくとも１つのオーディオチャネルの状態を取得し、該状態は、少なくとももう１つのオーディオレンダリング及び／又は取得装置への対応オーディオチャネルの現在の割り当てを表し、
取得された状態に従って、複数のオーディオチャネルの中から、使用される少なくとも１つのオーディオチャネルを選択する
よう構成され得る。
【００８８】
オーディオレンダラは、特に、マスターデバイスを更に有する通信システムに属することができる。システムは、図１及び２Ａ乃至２Ｄによって表されているような、少なくとも１つの他のオーディオレンダラを更に有することができる。
【００８９】
図５は、図１によって表されたマスターデバイスとして、専用のドングルを備えたＳＴＢのようなマスターデバイスを記載する。
【００９０】
図５の特定の実施形態では、マスターデバイスは、ＵＳＢプロトコルを介して又はデータ及びアドレスバス５００を介して連結されている種々のデバイスを含むことができる。データ及びアドレスバス５００はタイマー信号も運ぶことができる。例えば、それは、マイクロプロセッサ５１（又はＣＰＵ）、少なくとも１つの入出力モジュール５４（例えば、触覚ディスプレイ、スイッチ、ＬＥＤ、ボタン（例えば、ペアリングボタン）、など）、ＲＯＭ（Read  Only  Memory）５５、ＲＡＭ（Random  Access  Memory）５６、無線接続を介したデータの受信及び／又は送信のために構成される通信インターフェイス５７１、５７２、有線通信インターフェイス５８（任意）、電源５９を含むことができる。マスターデバイスは、Ｗｉ−Ｆｉ又はＢｌｕｅｔｏｏｔｈ接続のような、他の無線接続を更に有することができる。
【００９１】
いくつかの実施形態において、マスターデバイスは、専用バス５０によってグラフィクスカードへ直接に接続されているディスプレイモジュール５０４、例えば、スクリーン又はＴＶ受像機を更に含むか、又はそれは接続され得る。
【００９２】
表されている実施形態では、マスターデバイス１２０は、無線インターフェイスのおかげでオーディオレンダラ１４０、１４２、１４４、１４６、１５０と通信することができる。
【００９３】
前述のメモリの夫々は、少なくとも１つのレジスタ、すなわち、低容量（数バイナリのデータ）又は高容量（プログラム全体又は計算若しくは表示されるデータを表すデータの全て若しくは部分の記憶の容量を有する。）のメモリ区間を含むことができる。
【００９４】
マスターデバイスが電源をオンされる場合に、マイクロプロセッサ５１は、ＲＡＭ５６のレジスタ内のプログラム命令５６０をロードし、プログラム命令を実行する。
【００９５】
変形例に従って、オーディオレンダラは複数のマイクロプロセッサを含む。他の変形例に従って、電源５９はオーディオレンダラの外にある。
【００９６】
図４Ａ及び４Ｂは、オーディオレンダラにおいて実装される、本開示の方法４００の特定の実施形態を示す。例えば、オーディオレンダラは、サテライトスピーカ１４０、１４２、１４４、１４６又はサブウーファー１５０のような、図１によって表されたオーディオレンダラであることができる。
【００９７】
図４Ａ及び４Ｂによって記載される実施形態に従って、図１のシステムのユーザは、自身のＳＴＢを既にオンしており、自身のシステムの各スピーカをその所望の位置へ動かしている。全てのスピーカはオフされている。ユーザは、次いで、自身のシステムの少なくとも１つのオーディオレンダラ（すなわち、スピーカ）の電源をオンし、それをマスターデバイスとペアにすることを開始する。システムのレンダラは、１つずつ電源をオンされ、ペアリングされる（第１のレンダラが電源をオンされ、ペアリングされ、次いで、第２のレンダラが電源オンされ、ペアリングされ、以降同様に続く。）。スピーカの電源オン及びマスターデバイス（ここでは、ＳＴＢのドングル）とのペアリングの順序は、スピーカに割り当てられるチャネル（又は複数のチャネル）を決定することができる。そのような実施形態は、２つの電源オフされたスピーカの位置の入れ替えの後のレンダリングを変更することを可能にすることができる。
【００９８】
表されている実施形態に従って、ドングルによって出力されるチャネルは、決定された順序により０からｎまで番号付けされ得る（ｎは、チャネルの数から１を減じた数である。）。例えば、詳細な実施形態において、チャネルは０から３まで番号付けされ得る。０と番号を付されたチャネルは、フロントレフトチャネルであることができる。１と番号を付されたチャネルは、フロントライトチャネルであることができる。２と番号を付されたチャネルは、リアレフトチャネルであることができる。３と番号を付されたチャネルは、リアライトチャネルであることができる。
【００９９】
図４Ａ又は４Ｂの詳細な実施形態に従って、方法は、スピーカのペアリングを（４１０で）開始することを有する。この開始が実施される方法は、実施形態に応じて変化しうる。ここで記載される特定の実施形態では、開始は、ペアリングボタンを押すことを含む。ペアリングボタンに対してなされた動作の持続時間に応じて、スピーカは、モノ又はステレオ消費モードにおいて構成され得る。図４Ａによって表されている詳細な実施形態に従って、オーディオレンダラのオーディオ消費モードはモノである。図４Ｂによって表されている詳細な実施形態に従って、オーディオレンダラのオーディオ消費モードはステレオである。
【０１００】
方法は、マスターデバイスから送信されるオーディオチャネルを（４２０で）スキャンすること、及びスキャンの結果に従って少なくとも１つのチャネルを（４３０、４４０で）選択することを更に有する。選択は、オーディオレンダラのオーディオ消費モードに応じて相違しうる。
【０１０１】
スキャンすることは、特に、
−  マスターデバイスの識別子及び出力されるチャネルの数を含む、マスターデバイスによって通信ネットワーク上で公にされている情報をリッスンすること、
−  マスターデバイスから、マスターデバイスによって出力されるチャネルと、夫々の出力チャネルごとの、他のオーディオレンダリングデバイスによるそのチャネルの既存の選択を示す（つまり、そのチャネルの既存の使用を示す）選択状態とを識別するメッセージを取得すること
を有することができる。
【０１０２】
記載されている実施形態では、ＳＴＢが、テキサス・インスツルメントによって開発されたドングルＴＩ  ＣＣ８５ｘｘのような、ドングルを装備され得る場合に、メッセージ（すなわち、スキャンの結果）は、マスターデバイスによって無線により出力され得る、マスターデバイスへ入力される全てのオーディオチャネルの状態（例えば、４ビットで符号化される。）を記述することができる変数（例えば、２バイトで符号化される）を有することができる。他の変形例は、オーディオチャネルのうちの少なくとも１つについて、スレーブスピーカがこのオーディオチャネルを既に選択しているかどうかを示すことができる。
【０１０３】
スピーカがモノオーディオ消費モードにおいて（ユーザによって、又はモノモードがデフォルトモードであることから）構成されている場合には、選択すること（４３０）は、チャネルごとに順次とスキャンの結果を確認することを有することができる。
【０１０４】
選択すること（４３０）は、インディシア（indicia）（Ｉ）を初期値に設定すること（４３１）を有することができる。記載されている実施形態では、チャネルが０から３の数を割り当てられる場合に、初期値は０であることができる。当然、初期値は、チャネルの番号付けに応じて様々であることができる。
【０１０５】
スキャンの結果から、方法は、インディシアの現在値によって番号付けされたチャネル（以降、「現在のチャネル」と呼ばれる。）の状態を取得すること（４３２）を有することができる。
【０１０６】
現在のチャネルが使用されていない場合には（４３３）、方法は、現在のチャネルを選択すること（４３４）を有することができる。
【０１０７】
現在のチャネルが既に使用されている場合には（４３３）、方法は、チャネルに割り当てられる最大数にインディシアが既に達しているかどうかを試験すること（４３５）を有することができる。そうでない場合には、方法は、インディシアをインクリメントし（４３７）（インディシアＩは値Ｉ＋１を割り当てられる。）、状態の取得、利用可能性の判定、及び任意に、チャネルの最大数との比較を繰り返すことを有することができる。
【０１０８】
記載されている特定の実施形態では、同じファームウェアがサテライトスピーカにおいて及びサブウーファーにおいて実装され得る。このとき、サブウーファーは、電源をオンされ、ペアリングされる最後のオーディオレンダラである。そのような実施形態では、現在のチャネルが既に使用されており（４３３）、インディシアがチャネルの最大数に達している（４３５）場合に、オーディオレンダラは、（全てのチャネルが使用されているとして）又は他の部屋にあるサテライトスピーカ又はサブウーファーであると考えられ得る。そして、方法は、デバイスをステレオオーディオ消費モードにおいて動作させ、２つのデフォルトチャネル、例えば、ここでは、０及び１と番号付けされたチャネル（リアレフト及びリアライトチャネルである。）を選択すること（４３６）を有することができる。
【０１０９】
図４Ｂによって表されているように、スピーカがステレオオーディオ消費モードにおいて構成されている場合には、選択すること（４４０）は、２つのチャネルごとに順次にスキャンの結果を確認することを有することができる。
【０１１０】
選択すること（４４０）は、インディシア（Ｉ）を初期値に設定すること（４４１）を有することができる。記載されている実施形態では、チャネルが０から３の数を割り当てられ得る場合に、初期値は０であることができる。当然、初期値は、チャネルの番号付けに応じて様々であることができる。
【０１１１】
スキャンの結果から、方法は、インディシアの現在値及びインディシアの次の値により番号付けされたチャネル（以降、「現在のチャネル」と呼ばれる。）の状態を取得すること（４４２）を有することができる。
【０１１２】
現在のチャネル及びこの現在のチャネルの次のチャネルが使用されていない場合には（４４３）、方法は、それら２つのチャネルを選択すること（４４４）を有することができる。
【０１１３】
現在のチャネル又はこの現在のチャネルの次のチャネルのうちの１つが既に使用されている場合には（４４３）、方法は、現在のチャネルの次のチャネルが、チャネルに割り当てられる最大数を割り当てられているチャネルであるかどうか（すなわち、状態（Ｉ＝最大チャネル数−１）が達成されているかどうか）を試験すること（４４５）を有することができる。そうでない場合には、方法は、インディシアをインクリメントし（４４７）（インディシアＩは値Ｉ＋２を割り当てられる。）、状態の取得、利用可能性の判定、及び任意に、チャネルの最大数との比較を繰り返すことを有することができる。
【０１１４】
記載されている特定の実施形態では、同じファームウェアがサテライトスピーカにおいて及びサブウーファーにおいて実装され得る場合に、現在のチャネル又はこの現在のチャネルの次のチャネルが４４３において利用可能でなく、すなわち、既に使用されており、インディシアが４４５でチャネルの最大数から１を減じた数に達しているときには、オーディオレンダラは、サブウーファーであると考えられ得る。そして、方法は、２つのデフォルトチャネル、例えば、ここでは、０及び１と番号付けされたチャネル（リアレフト及びリアライトチャネルである。）を選択すること（４３６）を有することができる。
【０１１５】
方法は、電源をオンされるときに及び／又は次のペアリングまで同じチャネルを保持するために、少なくとも１つの選択されたチャネルを記憶することを更に有することができる。
【０１１６】
本開示は、０から最大数（例えば、３）まで番号付けされたチャネルに関して記載されてきた。このとき、インディシアは初期値“０”を有し、値をインクリメントすることで変化する。当然、他の実施形態では、インディシアは、チャネルに割り当てられる最大数である初期値に設定され、値をデクリメントすることによって変化し得る。
【０１１７】
本開示は、特に、テキサス・インスツルメントによって開発された製品ＴＩ  ＣＣ８５ｘｘのような製品に適応された特定のプロトコルに関して記載されてきた。当然、当業者に理解されるように、本開示は、他のネットワークプロトコル、特に、オーディオレンダラと“マスター”デバイスとの間のペアリングを要求するネットワークプロトコルを使用する通信システムにおいても適用され得る。
【０１１８】
当業者に明らかなように、本原理の態様は、システム、オーディオ取得及び／又はレンダリングデバイス、方法、あるいは、コンピュータ可読媒体として具現化され得る。然るに、本開示の態様は、ハードウェア実施形態、ソフトウェア実施形態（ファームウェア、常駐ソフトウェア、マイクロコード、など）、又は「回路」、「モジュール」若しくは「システム」と本願では一般的に全て呼ばれ得る、ソフトウェア及びハードウェア態様を組み合わせた実施形態の形をとることができる。更には、本原理の態様は、コンピュータ可読記憶媒体の形をとることができる。１つ以上のコンピュータ可読記憶媒体の如何なる組み合わせも利用され得る。
【０１１９】
コンピュータ可読記憶媒体は、１つ以上のコンピュータ可読媒体において具現化され、コンピュータによって実行可能なコンピュータ可読プログラムコードが具現化されているコンピュータ可読プログラム製品の形をとることができる。本願で使用されるコンピュータ可読記憶媒体は、情報を記憶する固有能力及び自身からの情報の検索を提供する固有能力を前提として非一時的な記憶媒体と見なされる。コンピュータ可読記憶媒体は、例えば、制限なしに、電子、磁気、光学、電磁気、赤外線、若しくは半導体システム、装置、若しくはデバイス、又はそれらのあらゆる適切な組み合わせであることができる。
【０１２０】
当然ながら、以下は、本原理が適用され得るコンピュータ可読記憶媒体のより具体的な例を提供するが、当業者に容易に理解されるように、例示にすぎず、総記ではない：ポータブルコンピュータディスケット、ハードディスク、リードオンリーメモリ（ＲＯＭ）、消去可能なプログラム可能リードオンリーメモリ（ＥＰＲＯＭ又はフラッシュメモリ）、ポータブルコンパクトディスク型リードオンリーメモリ（ＣＤ−ＲＯＭ）、光学記憶デバイス、磁気記憶デバイス、又はそれらのあらゆる適切な組み合わせ。
【０１２１】
よって、例えば、当業者に理解されるように、ここで提示されるブロック図は、本原理のいくつかの実施形態の実例となるシステムコンポーネント及び／又は回路構成の概念図を表す。同様に、明らかなように、如何なるフローチャート、フロー図、状態遷移図、擬似コード、及び同様のものも、コンピュータ可読記憶媒体において実質的に表現され、故にコンピュータ又はプロセッサによって、そのようなコンピュータ又はプロセッサが明示的に示されていようとなかろうと実行され得る様々なプロセスを表す。
【符号の説明】
【０１２２】
１００          無線オーディオ及び／又はビデオシステム
１１０          通信ネットワーク
１２０          マスターデバイス（ＳＴＢ）
１２２          周辺機器（ドングル）
１３０          ディスプレイ
１４０〜１５０  オーディオレンダラ
【図１】
2017184229.tif 000003
【図２Ａ】
2017184229.tif 000004
【図２Ｂ】
2017184229.tif 000005
【図２Ｃ】
2017184229.tif 000006
【図２Ｄ】
2017184229.tif 000007
【図３】
2017184229.tif 000008
【図４Ａ】
2017184229.tif 000009
【図４Ｂ】
2017184229.tif 000010
【図５】
2017184229.tif 000011
【外国語明細書】
2017184229000001.pdf